(57)【要約】【課題】指定されたコンテンツが組み込まれる他のコンテンツを確認することができるようにする。【解決手段】コンテンツ管理装置は、他のコンテンツの識別情報を含み、該他のコンテンツを組み込んで表示するための全体コンテンツを記憶する全体コンテンツ記憶部を備える。コンテンツ管理装置は、全体コンテンツに組み込まれ得る部分コンテンツの指定を受け付け、指定された部分コンテンツが組み込まれる全体コンテンツを全体コンテンツ記憶部から検索し、検索した全体コンテンツを表示する。【選択図】  図１０
2006059295.tif 000002
【特許請求の範囲】
【請求項１】
他のコンテンツの識別情報を含み、該他のコンテンツを組み込んで表示するための全体コンテンツを記憶する全体コンテンツ記憶部にアクセスするアクセス部と、
全体コンテンツに組み込まれ得る部分コンテンツの指定を受け付ける部分コンテンツ指定受付部と、
前記部分コンテンツ指定受付部に指定された前記部分コンテンツが組み込まれる全体コンテンツを前記全体コンテンツ記憶部から検索する検索部と、
前記検索部が検索した前記全体コンテンツを出力する出力部と、
を備えることを特徴とするコンテンツ管理システム。
【請求項２】
請求項１に記載のコンテンツ管理システムであって、
ＣＰＵとメモリと入力装置と表示装置とを備え、
前記全体コンテンツ記憶部が構築される記憶装置にアクセス可能に接続し、
前記アクセス部、前記部分コンテンツ指定受付部、前記検索部、および前記出力部は、ＣＰＵが前記メモリに記憶されているプログラムを実行することにより実現され、
前記部分コンテンツ指定部は、前記入力装置を介して前記部分コンテンツの指定を受け付け、
前記出力部は、前記検索部が検索した前記全体コンテンツを前記表示装置に出力すること、
を特徴とするコンテンツ管理システム。
【請求項３】
請求項２に記載のコンテンツ管理システムであって、
前記部分コンテンツと、前記検索部が検索した前記全体コンテンツの一覧とを表示するとともに、前記部分コンテンツを代替するコンテンツである代替コンテンツの入力を受け付けるためのユーザインタフェースを備え、
前記出力部は、前記検索部が検索した前記全体コンテンツのそれぞれに、前記部分コンテンツに替えて前記代替コンテンツを組み込んで前記表示装置に出力すること、
を特徴とするコンテンツ管理システム。
【請求項４】
請求項１に記載のコンテンツ管理システムであって、
コンテンツの編集者の操作端末と、コンテンツを管理するサーバ装置とが通信可能に接続して構成され、
前記サーバ装置は、前記全体コンテンツ記憶部が構築される記憶装置にアクセス可能に接続し、
前記操作端末が、ＣＰＵとメモリと表示装置とを備え、当該メモリに記憶されているプログラムを当該ＣＰＵが実行することにより、前記部分コンテンツ指定受付部を実現し、
前記サーバ装置が、ＣＰＵとメモリとを備え、当該メモリに記憶されているプログラムを当該ＣＰＵが実行することにより、前記アクセス部と、前記検索部と、前記出力部とを実現し、
前記操作端末は、前記部分コンテンツ指定受付部に指定された前記部分コンテンツを指定した、当該部分コンテンツが組み込まれる全体コンテンツを取得するためのコマンドである参照元取得要求を前記サーバ装置に送信する参照元取得要求送信部を備え、
前記サーバ装置は、前記操作端末から送信される前記参照元取得要求を受信する参照元取得要求受信部を備え、
前記検査部は、前記参照元取得要求に指定されている前記部分コンテンツが組み込まれる全体コンテンツを前記全体コンテンツ記憶部から検索し、
前記出力部は、前記検索部が検索した前記全体コンテンツを前記操作端末に送信し、
前記操作端末は、前記サーバ装置から前記全体コンテンツを受信する全体コンテンツ受信部と、前記全体コンテンツ受信部が受信した前記全体コンテンツを前記表示装置に表示する表示部と、を備えること、
を特徴とするコンテンツ管理システム。
【請求項５】
請求項４に記載のコンテンツ管理システムであって、
前記操作端末は、前記部分コンテンツと、前記検索部が検索した前記全体コンテンツの一覧とを表示するとともに、前記部分コンテンツを代替するコンテンツである代替コンテンツの入力を受け付けるためのユーザインタフェースを備え、
前記表示部は、前記検索部が検索した前記全体コンテンツのそれぞれに、前記部分コンテンツに替えて前記代替コンテンツを組み込んで表示すること、
を特徴とするコンテンツ管理システム。
【請求項６】
請求項１に記載のコンテンツ管理システムであって、
前記部分コンテンツを代替するコンテンツである代替コンテンツの入力を受け付ける代替コンテンツ入力部を備え、
前記出力部は、前記検索部が検索した前記全体コンテンツのそれぞれに、前記部分コンテンツに替えて前記代替コンテンツを組み込んで出力すること、
を特徴とするコンテンツ管理システム。
【請求項７】
請求項４に記載のコンテンツ管理システムであって、
前記アクセス部は、前記部分コンテンツを記憶する部分コンテンツ記憶部にアクセス可能であり、
前記代替コンテンツを記憶する旨の指示を受け付ける指示受付部と、
前記指示受付部が受け付けた前記指示に応じて、前記代替コンテンツを該当する部分コンテンツに入れ替えて前記部分コンテンツ記憶部に登録する部分コンテンツ更新部と、
を備えることを特徴とするコンテンツ管理システム。
【請求項８】
請求項５に記載のコンテンツ管理システムであって、
前記部分コンテンツ更新部は、前記代替コンテンツを前記部分コンテンツ記憶部に登録し、前記検索部が検索した前記全体コンテンツのそれぞれに含まれる前記部分コンテンツの識別情報を、当該代替コンテンツの識別情報に変更すること、
を特徴とするコンテンツ管理システム。
【請求項９】
請求項１に記載のコンテンツ管理システムであって、
前記出力部は、前記部分コンテンツ指定受付部に指定された前記部分コンテンツを強調するように前記全体コンテンツを出力すること、
を特徴とするコンテンツ管理システム。
【請求項１０】
請求項１に記載のコンテンツ管理システムであって、
前記アクセス部は、前記部分コンテンツを記憶する部分コンテンツ記憶部にアクセス可能であり、
部分コンテンツの識別情報に対応付けて、当該部分コンテンツが組み込まれる全体コンテンツの識別情報を記憶するコンテンツ管理テーブルと、
前記部分コンテンツ記憶部に記憶されている部分コンテンツのそれぞれについて、当該部分コンテンツが組み込まれる全体コンテンツを前記全体コンテンツ記憶部から検索し、検索した前記全体コンテンツの識別情報を当該部分コンテンツの識別情報と対応付けて前記コンテンツ管理テーブルに登録するコンテンツ管理部と、を備え、
前記検索部は、前記コンテンツ管理テーブルを参照して、前記部分コンテンツ指定受付部に指定された前記部分コンテンツが組み込まれる先となる前記全体コンテンツを検索すること、
を特徴とするコンテンツ管理システム。
【請求項１１】
コンテンツの編集者の操作端末と通信可能に接続し、
他のコンテンツの識別情報を含み、該他のコンテンツを組み込んで表示するための全体コンテンツを記憶する全体コンテンツ記憶部にアクセスするアクセス部と、
前記操作端末から送信される、編集者に指定された部分コンテンツを指定した、当該部分コンテンツが組み込まれる全体コンテンツを取得するためのコマンドである参照元取得要求を受信する参照元取得要求受信部と、
前記部分コンテンツ指定受付部に指定された前記部分コンテンツが組み込まれる全体コンテンツを前記全体コンテンツ記憶部から検索し、検索した前記全体コンテンツの一覧を表示するためのデータである一覧ファイルを生成する一覧ファイル生成部と、
前記一覧ファイルを前記操作端末に送信する一覧ファイル送信部と、
を備えることを特徴とするコンテンツ管理装置。
【請求項１２】
請求項１１に記載のコンテンツ管理装置であって、
前記操作端末から送信される、前記部分コンテンツを代替するコンテンツである代替コンテンツを受信する代替コンテンツ受信部と、
前記一覧ファイル生成部は、前記検索した前記全体コンテンツのそれぞれに、前記部分コンテンツに替えて前記代替コンテンツを組み込んで表示するための前記一覧ファイルを生成すること、
を特徴とするコンテンツ管理装置。
【請求項１３】
ＣＰＵと、他のコンテンツの識別情報を含み、該他のコンテンツを組み込んで表示するための全体コンテンツを記憶するメモリとを備えるコンピュータが、
全体コンテンツに組み込まれ得る部分コンテンツの指定を受け付け、
指定された前記部分コンテンツが組み込まれる全体コンテンツを前記メモリから検索し、
検索した前記全体コンテンツを表示すること、
を特徴とするコンテンツ管理方法。
【請求項１４】
ＣＰＵと、他のコンテンツの識別情報を含み、該他のコンテンツを組み込んで表示するための全体コンテンツを記憶するメモリとを備えるコンピュータに、
全体コンテンツに組み込まれ得る部分コンテンツの指定を受け付けるステップと、
指定された前記部分コンテンツが組み込まれる全体コンテンツを前記メモリから検索するステップと、
検索した前記全体コンテンツを出力するステップと、
を実行させるためのプログラム。
【発明の詳細な説明】
【技術分野】
【０００１】
本発明は、コンテンツ管理システム、コンテンツ管理装置、コンテンツ管理方法、コンテンツ管理システム、およびプログラムに関する。
【背景技術】
【０００２】
インターネットで提供されているＷｅｂページなどのコンテンツでは、ハイパーリンクを設定して他のページに画面を遷移させたり、別ファイルとして保存されている画像などのコンテンツをページの一部として組み込んだりすることができるようになっている。Ｗｅｂページなどのコンテンツの記述方式としては、ＨＴＭＬ（HyperText Markup Language）が多く使われている。複数のコンテンツが互いにリンクされていたり、あるコンテンツが他のコンテンツに組み込まれて表示されていたりするような状況において、コンテンツの編集者がコンテンツを編集するときには、編集対象となるコンテンツと他のコンテンツとの間の関係を壊さないように注意を払う必要がある。例えば、特許文献１には、あるノードの編集を行う際に、編集対象の文書とハイパーリンク関係にある文書群に対して排他制御を行うことで、関連付けを保持した状態で安全に編集することができるような技術が公開されている。
【特許文献１】特開２０００−１８７６５５号公報
【発明の開示】
【発明が解決しようとする課題】
【０００３】
しかしながら、特許文献１に記載された技術では、コンテンツの編集者が、例えば、ＨＴＭＬファイルに組み込まれている画像ファイルなど、他のコンテンツに組み込まれて表示されるコンテンツを編集するときに、そのコンテンツの編集が他のコンテンツのレイアウトに及ぼす影響を確認することができない。したがって、例えば、コンテンツの編集者が画像を編集した場合には、そのコンテンツ編集者は全てのＨＴＭＬファイルを表示させ、編集した画像がレイアウトに及ぼした影響を確認する必要がある。このような確認作業を大量のＨＴＭＬコンテンツについて行うには編集者の負担が大きく、また確認作業には時間がかかるので迅速なコンテンツの更新を行うことができないという問題がある。
【０００４】
本発明は、このような背景を鑑みてなされたものであり、指定されたコンテンツが組み込まれる他のコンテンツを確認することのできる、コンテンツ管理システム、コンテンツ管理装置、コンテンツ管理方法、コンテンツ管理システム、およびプログラムを提供することを目的とする。
【課題を解決するための手段】
【０００５】
上記課題を解決するための本発明の主たる発明は、コンテンツ管理システムであって、他のコンテンツの識別情報を含み、該他のコンテンツを組み込んで表示するための全体コンテンツを記憶する全体コンテンツ記憶部にアクセスするアクセス部と、全体コンテンツに組み込まれ得る部分コンテンツの指定を受け付ける部分コンテンツ指定受付部と、前記部分コンテンツ指定受付部に指定された前記部分コンテンツが組み込まれる全体コンテンツを前記全体コンテンツ記憶部から検索する検索部と、前記検索部が検索した前記全体コンテンツを出力する出力部と、を備えることとする。  
ここで、全体コンテンツとは、例えば、ＨＴＭＬファイルである。部分コンテンツとは、例えば、静止画像や動画像などの画像ファイルなどである。
【０００６】
本発明のコンテンツ管理装置によれば、部分コンテンツが組み込まれる全体コンテンツが表示されるので、部分コンテンツがどれだけの全体コンテンツによって参照されているのかを確認することができる。したがって、部分コンテンツの編集者は、部分コンテンツを編集するときに、編集した部分コンテンツが及ぼす全体コンテンツへの影響の度合いを事前に把握することができる。
【０００７】
また、本発明のコンテンツ管理システムは、ＣＰＵとメモリと入力装置と表示装置とを備え、前記全体コンテンツ記憶部が構築される記憶装置にアクセス可能に接続し、前記アクセス部、前記部分コンテンツ指定受付部、前記検索部、および前記出力部は、ＣＰＵが前記メモリに記憶されているプログラムを実行することにより実現され、前記部分コンテンツ指定部は、前記入力装置を介して前記部分コンテンツの指定を受け付け、前記出力部は、前記検索部が検索した前記全体コンテンツを前記表示装置に出力するようにしてもよい。
【０００８】
また、本発明のコンテンツ管理システムは、前記部分コンテンツと、前記検索部が検索した前記全体コンテンツの一覧とを表示するとともに、前記部分コンテンツを代替するコンテンツである代替コンテンツの入力を受け付けるためのユーザインタフェースを備え、前記出力部は、前記検索部が検索した前記全体コンテンツのそれぞれに、前記部分コンテンツに替えて前記代替コンテンツを組み込んで前記表示装置に出力するようにしてもよい。
【０００９】
また、本発明のコンテンツ管理システムは、コンテンツの編集者の操作端末と、コンテンツを管理するサーバ装置とが通信可能に接続して構成され、前記サーバ装置は、前記全体コンテンツ記憶部が構築される記憶装置にアクセス可能に接続し、前記操作端末が、ＣＰＵとメモリとを備え、当該メモリに記憶されているプログラムを当該ＣＰＵが実行することにより、前記部分コンテンツ指定受付部を実現し、前記サーバ装置が、ＣＰＵとメモリとを備え、当該メモリに記憶されているプログラムを当該ＣＰＵが実行することにより、前記アクセス部と、前記検索部と、前記出力部とを実現し、前記操作端末は、前記部分コンテンツ指定受付部に指定された前記部分コンテンツを指定した、当該部分コンテンツが組み込まれる全体コンテンツを取得するためのコマンドである参照元取得要求を前記サーバ装置に送信する参照元取得要求送信部を備え、前記サーバ装置は、前記操作端末から送信される前記参照元取得要求を受信する参照元取得要求受信部を備え、前記検査部は、前記参照元取得要求に指定されている前記部分コンテンツが組み込まれる全体コンテンツを前記全体コンテンツ記憶部から検索し、前記出力部は、前記検索部が検索した前記全体コンテンツを前記操作端末に送信し、前記操作端末は、前記サーバ装置から前記全体コンテンツを受信する全体コンテンツ受信部と、受信した前記全体コンテンツを表示する表示部と、を備えるようにしてもよい。
【００１０】
また、前記操作端末は、前記部分コンテンツと、前記検索部が検索した前記全体コンテンツの一覧とを表示するとともに、前記部分コンテンツを代替するコンテンツである代替コンテンツの入力を受け付けるためのユーザインタフェースを備え、前記表示部は、前記検索部が検索した前記全体コンテンツのそれぞれに、前記部分コンテンツに替えて前記代替コンテンツを組み込んで表示するようにしてもよい。
【００１１】
また、本発明のコンテンツ管理システムは、前記部分コンテンツを代替するコンテンツである代替コンテンツの入力を受け付ける代替コンテンツ入力部を備え、前記出力部は、前記検索部が検索した前記全体コンテンツのそれぞれに、前記部分コンテンツに替えて前記代替コンテンツを組み込んで出力するようにしてもよい。この場合、部分コンテンツを代替コンテンツに変更することによって、表示される全体コンテンツにどのような影響が生じるかを確認することができる。
【００１２】
また、本発明のコンテンツ管理システムは、前記アクセス部は、前記部分コンテンツを記憶する部分コンテンツ記憶部にアクセス可能であり、前記代替コンテンツを記憶する旨の指示を受け付ける指示受付部と、前記指示受付部が受け付けた前記指示に応じて、前記代替コンテンツを該当する部分コンテンツに入れ替えて前記部分コンテンツ記憶部に登録する部分コンテンツ更新部と、を備えるようにしてもよい。これにより、部分コンテンツを代替コンテンツに更新することができる。したがって、コンテンツの編集者は、部分コンテンツを代替コンテンツに変更することによって生じる全体コンテンツへの影響を確認した後に、部分コンテンツを代替コンテンツに入れ替えることができる。
【００１３】
また、前記部分コンテンツ更新部は、前記代替コンテンツを前記部分コンテンツ記憶部に登録し、前記検索部が検索した前記全体コンテンツのそれぞれに含まれる前記部分コンテンツの識別情報を、当該代替コンテンツの識別情報に変更するようにしてもよい。
【００１４】
また、前記出力部は、前記部分コンテンツ指定受付部に指定された前記部分コンテンツを強調するように前記全体コンテンツを出力するようにしてもよい。この場合、全体コンテンツに多くの部分コンテンツが含まれている場合に、編集者の指定した部分コンテンツを容易に確認することができる。
【００１５】
また、本発明のコンテンツ管理システムは、前記アクセス部は、前記部分コンテンツを記憶する部分コンテンツ記憶部にアクセス可能であり、部分コンテンツの識別情報に対応付けて、当該部分コンテンツが組み込まれる全体コンテンツの識別情報を記憶するコンテンツ管理テーブルと、前記部分コンテンツ記憶部に記憶されている部分コンテンツのそれぞれについて、当該部分コンテンツが組み込まれる全体コンテンツを前記全体コンテンツ記憶部から検索し、検索した前記全体コンテンツの識別情報を当該部分コンテンツの識別情報と対応付けて前記コンテンツ管理テーブルに登録するコンテンツ管理部と、を備え、前記検索部は、前記コンテンツ管理テーブルを参照して、前記部分コンテンツ指定受付部に指定された前記部分コンテンツが組み込まれる先となる前記全体コンテンツを検索するようにしてもよい。この場合、予め部分コンテンツとその部分コンテンツを組み込む全体コンテンツとの対応付けを記憶しておくことで、部分コンテンツを組み込む全体コンテンツの検索を高速に行うことが可能となる。
【発明の効果】
【００１６】
本発明によれば、指定されたコンテンツが組み込まれる他のコンテンツを確認することのできる、コンテンツ管理装置、コンテンツ管理方法、コンテンツ管理システム、およびプログラムを提供することができる。
【発明を実施するための最良の形態】
【００１７】
＝＝＝システム構成＝＝＝
図１は、本実施形態に係るコンテンツ管理システム１の全体構成を示す図である。同図に示すように、コンテンツ管理システム１は、コンテンツを管理するサーバ装置２０（本発明の「コンテンツ管理装置」に該当する）と、コンテンツの編集者が操作する操作端末１０とを含んでいる。操作端末１０とサーバ装置２０とは通信ネットワーク３０を介して通信可能に接続される。通信ネットワーク３０は、例えば、ＬＡＮ（Local Area Network）やＷＡＮ（Wide Area Network）、インターネット、公衆電話回線網、フレームリレー網、ＡＴＭ（Asynchronous Transfer Mode）網などである。
【００１８】
サーバ装置２０は、ＨＴＭＬファイル（本発明の「全体コンテンツ」に該当する）や画像ファイル（本発明の「部分コンテンツ」に該当する）などのコンテンツを管理する、例えば、ワークステーションやパーソナルコンピュータなどのコンピュータである。サーバ装置２０は、Ｗｅｂサーバとして機能しており、通信ネットワーク３０上の他のコンピュータからのリクエストに応じてＨＴＭＬファイルなどのコンテンツを提供する。
【００１９】
操作端末１０は、例えば、パーソナルコンピュータやワークステーション、ＰＤＡ（Personal Digital Assistance）、携帯電話などのＣＰＵ（Central Processing Unit）やメモリを備えるコンピュータである。コンテンツの編集者は操作端末１０を操作して、サーバ装置２０で管理されるＨＴＭＬファイルや画像ファイルなどの登録や更新、削除などの管理作業を行う。
【００２０】
＝＝＝操作端末＝＝＝
図２は、操作端末１０の構成を示す図である。同図に示すように、操作端末１０は、ＣＰＵ１０１、メモリ１０２、記憶装置１０３、通信インタフェース１０４、入力装置１０５、出力装置１０６を備えている。
【００２１】
記憶装置１０３は、例えば、ハードディスクドライブやＣＤ−ＲＯＭドライブなどである。記憶装置１０３には、プログラムやデータが記憶されている。ＣＰＵ１０１は、記憶装置１０３に記憶されているプログラムをメモリ１０２に読み出して実行することにより、後述する各種機能を実現する。通信インタフェース１０４は、通信ネットワーク３０を介して、サーバ装置２０などの他の機器との間で通信を行うためのインタフェースである。通信インタフェース１０４は、例えば、イーサネット（登録商標）アダプターや、ＡＴＭアダプター、公衆電話回線に接続するモデムなどである。
【００２２】
入力装置１０５は、例えば、キーボードやマウス、タッチパネル、ペンタブレット、マイクなどの、操作端末１０を操作する編集者からの入力を受け付ける装置である。出力装置１０６（本発明の「表示装置」に該当する）は、例えば、ディスプレイやプリンタ、スピーカなどの、データを出力する装置である。
【００２３】
図３は、操作端末１０の機能ブロック図である。同図に示すように、操作端末１０は、指定画像ＵＲＩ入力部１１１、参照元取得要求送信部１１２、一覧ファイル受信部１１３、一覧ファイル表示部１１４、更新画像入力部１１５、更新画像送信部１１６、更新画像ＵＲＩ受信部１１７、変更ファイル取得要求送信部１１８、変更ファイル受信部１１９、変更ファイル表示部１２０、画像更新要求送信部１２１を備えている。
【００２４】
指定画像ＵＲＩ入力部１１１（本発明の「部分コンテンツ指定受付部」に該当する）は、編集者から画像ファイルのＵＲＩ（Uniform Resource Identifier；識別情報）を入力装置１０５を介して受け付ける。以下、画像ファイルのＵＲＩを画像ＵＲＩといい、編集者から指定された画像ＵＲＩを指定画像ＵＲＩといい、編集者から入力された画像ＵＲＩによって特定される画像ファイルを指定画像ファイルという。
【００２５】
参照元取得要求送信部１１２は、画像ファイルを参照しているＨＴＭＬファイルを取得するためのコマンド（以下、参照元取得要求という）をサーバ装置２０に送信する。この参照元取得要求で、指定画像ＵＲＩにより対象となる画像ファイルが指定される。
【００２６】
一覧ファイル受信部１１３は、サーバ装置２０から上記参照元取得要求に応じて送信される、指定画像ファイルが組み込まれているＨＴＭＬファイルの一覧をレイアウトしたＨＴＭＬファイル（以下、一覧ファイルという）を受信する。  
一覧ファイル表示部１１４（本発明の「表示部」に該当する）は、受信した一覧ファイルをディスプレイなどの出力装置１０６に表示する。
【００２７】
更新画像入力部１１５（本発明の「代替コンテンツ入力部」に該当する）は、編集者からサーバ装置２０の画像ファイルを更新するための画像ファイル（以下、更新画像ファイルという；本発明の「代替コンテンツ」に該当する）の入力を受け付ける。
【００２８】
更新画像送信部１１６は、入力された更新画像ファイルをサーバ装置２０に送信する。  更新画像ＵＲＩ受信部１１７は、上記更新画像送信部１１６により送信された更新画像ファイルに応じてサーバ装置２０から応答される、更新画像ファイルのＵＲＩ（以下、更新画像ＵＲＩという）を受信し、受信した更新画像ＵＲＩをメモリ１０２に記憶する。
【００２９】
変更ファイル取得要求送信部１１８は、画像ファイルを更新画像ファイルに変更したＨＴＭＬファイル（以下、変更ファイルという）を取得するためのコマンド（以下、変更ファイル取得要求という）をサーバ装置２０に送信する。変更ファイル取得要求送信部１１５は、編集者からＨＴＭＬファイルのＵＲＩ（以下、ページＵＲＩという）と、変更する対象となる画像ファイルの画像ＵＲＩとの入力を受け付ける。変更ファイル取得要求送信部１１８は、入力されたページＵＲＩと画像ＵＲＩ、およびメモリ１０２に記憶されている更新画像ＵＲＩを変更ファイル取得要求に設定してサーバ装置２０に送信する。
【００３０】
変更ファイル受信部１１９は、上記変更ファイル取得要求に応じてサーバ装置２０から送信される変更ファイルを受信する。  
変更ファイル表示部１２０は、受信した変更ファイルをディスプレイなどの出力装置１０６に表示する。
【００３１】
画像更新要求送信部１２１は、サーバ装置２０に記憶されている画像ファイルを更新するように指示するコマンド（以下、画像更新要求）を送信する。画像更新要求には、指定画像ＵＲＩと更新画像ＵＲＩとが設定される。後述するように、サーバ装置２０は、画像更新要求を受信すると、更新画像ファイルで指定画像ファイルを上書きする。
【００３２】
＝＝＝サーバ装置＝＝＝
図４は、サーバ装置２０の構成を示す図である。同図に示すように、サーバ装置２０は、ＣＰＵ２０１、メモリ２０２、記憶装置２０３、通信インタフェース２０４を備えている。
【００３３】
記憶装置２０３は、プログラムやデータを記憶する、例えば、ハードディスクドライブやＣＤ−ＲＯＭドライブである。ＣＰＵ２０１は、記憶装置２０３に記憶されているプログラムをメモリ２０２に読み出して実行することにより、後述する各種の機能を実現する。通信インタフェース２０４は、通信ネットワーク３０に接続するインタフェースである。通信インタフェース２０４は、例えば、イーサネット（登録商標）アダプタや、公衆電話回線や専用電話回線に接続するためのモデムである。
【００３４】
図５は、サーバ装置２０の機能ブロック図である。サーバ装置２０は、更新部２１１、参照元取得要求受信部２１２、一覧ファイル生成部２１３、一覧ファイル送信部２１４、更新画像受信部２１５、変更ファイル取得要求受信部２１６、参照先変更部２１７、変更ファイル送信部２１８、画像更新要求受信部２１９、画像更新部２２０、ＨＴＭＬファイル記憶部２５１、画像ファイル記憶部２５２、参照管理テーブル２５３、更新画像ファイル記憶部２５４を備えている。
【００３５】
ＨＴＭＬファイル記憶部２５１（本発明の「全体コンテンツ記憶部」に該当する）には、ＨＴＭＬファイルが記憶されている。画像ファイル記憶部２５２（本発明の「部分コンテンツ記憶部」に該当する）には、画像ファイルが記憶されている。サーバ装置２０は、例えば、ＨＴＴＰによるリクエストに応じて、ＨＴＭＬファイル記憶部２５１に記憶されているＨＴＭＬファイルや、画像ファイル記憶部２５２に記憶されている画像ファイルを他のコンピュータに送信することにより、Ｗｅｂサーバとして機能する。図６に、ＨＴＭＬファイル記憶部２５１に記憶されるＨＴＭＬファイルの一例を示す。図６に示すように、ＨＴＭＬファイルには、例えば、他のＨＴＭＬファイルへのリンクを示すＡタグや、画像ファイルなど（他のコンテンツ）を組み込んで表示するためのＩＭＧタグなどが含まれている。ＨＴＭＬファイルに他のコンテンツを組み込むタグとしては、ＩＭＧタグやＯＢＪＥＣＴタグ、ＥＭＢＥＤタグなどがある。ＩＭＧタグのＳＲＣ属性やＯＢＪＥＣＴタグのＤＡＴＡ属性、ＥＭＢＥＤタグのＳＲＣ属性には、外部のコンテンツのＵＲＩが設定される。
【００３６】
参照管理テーブル２５３（本発明の「コンテンツ管理テーブル」に該当する）は、画像ファイルを参照しているＨＴＭＬファイルを管理している。図７に参照管理テーブル２５３の構成例を示す。同図に示すように、参照管理テーブル２５３には、画像ＵＲＩと、その画像ファイルを参照しているＨＴＭＬファイルのページＵＲＩとが対応付けて記憶されている。
【００３７】
更新部２１１（本発明の「コンテンツ管理部」に該当する）は、定期的にあるいは編集者からの指示に応じて、参照管理テーブル２５３を更新する。なお、更新部２１１による参照管理テーブル２５３の更新処理については後述する。  
参照元取得要求受信部２１２は、操作端末１０から送信される参照元取得要求を受信する。
【００３８】
一覧ファイル生成部２１３（本発明の「検索部」に該当する）は、参照元取得要求に指定されている画像ＵＲＩをキーとして、参照管理テーブル２５３からページＵＲＩを取得する。一覧ファイル生成部２１３は、取得したページＵＲＩのそれぞれに対応するＨＴＭＬファイルをＨＴＭＬファイル記憶部２５１からメモリ２０２に読み出す。一覧ファイル生成部２１３は、メモリ２０２に読み出したＨＴＭＬファイルを並べた一覧ファイルを生成する。  
一覧ファイル送信部２１４（本発明の「出力部」に該当する）は、一覧ファイル生成部２１３が生成した一覧ファイルを操作端末１０に送信する。
【００３９】
更新画像受信部２１５は、操作端末１０から送信される更新画像を受信し、受信した更新画像ファイルを更新画像ファイル記憶部２５４に格納する。更新画像受信部２１５は、格納した更新画像ファイルのＵＲＩを操作端末１０に応答する。  
変更ファイル取得要求受信部２１６は、操作端末１０から送信される変更ファイル取得要求を受信する。
【００４０】
参照先変更部２１７は、変更ファイル取得要求に設定されているページＵＲＩに対応するＨＴＭＬファイルをＨＴＭＬファイル記憶部２５１からメモリ２０２に読み出す。参照先変更部２１７は、メモリ２０２に読み出したＨＴＭＬファイルに含まれているＩＭＧタグやＯＢＪＥＣＴタグ、ＥＭＢＥＤタグなどの属性に指定されている指定画像ＵＲＩを更新画像ＵＲＩに変更する。  
変更ファイル送信部２１８は、参照先変更部２１７がメモリ２０２に読み出し、画像ＵＲＩを変更した上記のＨＴＭＬファイル（以下、変更ファイルという）を操作端末１０に送信する。  
画像更新要求受信部２１９は、操作端末１０から送信される画像更新要求を受信する。
【００４１】
画像更新部２２０（本発明の「部分コンテンツ更新部」に該当する）は、画像更新要求に設定されている指定画像ＵＲＩにより特定される画像ファイルを、画像更新要求に設定されている更新画像ＵＲＩにより特定される画像ファイルで上書きして、画像ファイルを更新する。
【００４２】
なお、上記ＨＴＭＬファイル記憶部２５１、画像ファイル記憶部２５２、参照管理テーブル２５３、および更新画像ファイル記憶部２５４は、サーバ装置２０のメモリ２０２や記憶装置２０３が提供する記憶領域に実現される。これらの記憶部は、具体的には例えば、サーバ装置２０上で動作するファイルシステムのディレクトリとして実現される。この場合、サーバ装置２０は、例えば、オペレーティングシステム（アクセス部）を介してＨＴＭＬファイルや画像ファイルにアクセスすることができる。
【００４３】
＝＝＝対応表の更新処理＝＝＝
サーバ装置２０は、定期的に、あるいは編集者からの指示に応じて、参照管理テーブル２５３を更新する。図８に、参照管理テーブル２５３の更新処理の流れを示す。サーバ装置２０は、ＨＴＭＬファイル記憶部２５１に記憶されているＨＴＭＬファイルのそれぞれについて、以下の処理を行う。
【００４４】
サーバ装置２０は、ＨＴＭＬファイルのタグを解析して、ＩＭＧタグ、ＯＢＪＥＣＴタグ、ＥＭＢＥＤタグを抽出する（Ｓ３１１）。サーバ装置２０は、抽出したＩＭＧタグのＳＲＣ属性に設定されている画像ＵＲＩとＨＴＭＬファイルのＵＲＩとを対応付けて参照管理テーブル２５３に登録する（Ｓ３１２）。サーバ装置２０は、上記抽出したＯＢＪＥＣＴタグのＤＡＴＡ属性に設定されている画像ＵＲＩとＨＴＭＬファイルのＵＲＩとを対応付けて参照管理テーブル２５３に登録する（Ｓ３１３）。サーバ装置２０は、ＥＭＢＥＤタグのＳＲＣ属性に設定されている画像ＵＲＩとＨＴＭＬファイルのページＵＲＩとを対応付けて参照管理テーブル２５３に登録する（Ｓ３１４）。
【００４５】
上記のようにして、画像ファイルを参照しているＨＴＭＬファイルが参照管理テーブル２５３に登録される。参照管理テーブル２５３に画像ファイルとＨＴＭＬファイルとの対応付けが登録されると、特定の画像ファイルを参照しているＨＴＭＬファイルの一覧を容易に取得することができる。
【００４６】
＝＝＝コンテンツの表示処理＝＝＝
図９は、画像ファイルを参照しているＨＴＭＬファイルの一覧を表示する処理の流れを示す図である。
【００４７】
操作端末１０は、指定画像ＵＲＩを指定した参照元取得要求をサーバ装置２０に送信する（Ｓ３２１）。  
サーバ装置２０は、参照元取得要求を受信し、受信した参照元取得要求に指定されている指定画像ＵＲＩを参照しているＨＴＭＬファイルのページＵＲＩを、参照管理テーブル２５３から取得する（Ｓ３２２）。サーバ装置２０は、取得したページＵＲＩのそれぞれに対応するＨＴＭＬファイルをＨＴＭＬファイル記憶部２５１からメモリ２０２に読み出す（Ｓ３２３）。サーバ装置２０は、メモリ２０２に読み出したＨＴＭＬファイルのそれぞれについてタグを解析し、参照元取得要求に設定されている指定画像ＵＲＩが示す画像ファイルを強調表示するようにＨＴＭＬファイルを変更する（Ｓ３２４）。画像ファイルを強調するようにするＨＴＭＬファイルの変更とは、例えば、指定画像ＵＲＩが属性値として設定されているＩＭＧタグやＯＢＪＥＣＴタグ、ＥＭＢＥＤタグなどの親のタグとして、ＢＬＩＮＫタグやＭＡＲＱＵＥＥタグなどを挿入することである。
【００４８】
サーバ装置２０は、メモリ２０２に読み出したＨＴＭＬファイルを並べて一覧ファイルを生成し（Ｓ３２５）、生成した一覧ファイルを操作端末１０に送信する（Ｓ３２６）。操作端末１０は、サーバ装置２０から一覧ファイルを受信し、受信した一覧ファイルをディスプレイなどの出力装置１０６に表示する（Ｓ３２７）。
【００４９】
図１０は、操作端末１０において、参照元の表示処理を行う際に用いられるユーザインタフェースの一例である。
【００５０】
操作端末１０は、画面４１０を表示して、編集者などの利用者から画像ＵＲＩの入力を受け付ける。画面４１０には、画像ＵＲＩを入力するための入力欄４１１が表示される。検索ボタン４１２が押下されると、操作端末１０は、入力欄４１１に入力された指定画像ＵＲＩを設定した参照元取得要求をサーバ装置２０に送信する。サーバ装置２０は、上述したように、この参照元取得要求に応じて一覧ファイルを操作端末１０に送信する。
【００５１】
操作端末１０が、サーバ装置２０から一覧ファイルを受信して、受信した一覧ファイルに基づいて画面４２０を表示する。画面４２０の画像表示欄４２１には、指定画像ＵＲＩの画像が表示される。更新画像ファイルの入力を受け付ける更新画像入力欄４２２に入力された更新画像ファイルはサーバ装置２０に送信され、サーバ装置２０の更新画像ファイル記憶部２５４に登録される。サーバ装置２０に更新画像ファイルが登録されると、更新画像ファイルの画像が画面４２０の表示欄４２３に表示される。
【００５２】
また、画面４２０には、上記の指定された画像ファイルを組み込んでいるＨＴＭＬファイル４２４の一覧が表示される。ＨＴＭＬファイルに組み込まれている画像ファイル４２５は、ＢＬＩＮＫタグやＭＡＲＱＵＥＥタグにより強調表示される。
【００５３】
このようにして、操作端末１０は、編集者から指定された画像ファイルを参照しているＨＴＭＬファイルの一覧を表示する。これにより、コンテンツの編集者は、画像ファイルの編集に先だって、全てのＨＴＭＬファイルを閲覧することなく、画像ファイルの編集によって影響を受けるＨＴＭＬファイルを容易に確認することができる。したがって、編集者の確認作業にかかる手間を低減することができる。また、編集者は、画像ファイルの編集によって影響の出る範囲のＨＴＭＬファイルの一覧を閲覧することできるので、デザインの統一性を確認することができる。さらに、指定画像ファイルは強調表示されるので、同一のＨＴＭＬファイルに多くの画像ファイルが組み込まれている場合にも、編集者は、変更対象となる指定画像ファイルを容易に認識することができる。
【００５４】
編集者によって更新後ページ表示ボタン４２６が押下されると、操作端末１０は、押下された更新後ページ表示ボタン４２６に対応するＨＴＭＬファイルのページＵＲＩと、指定画像ＵＲＩと、更新画像ＵＲＩとを設定した、変更ファイル取得要求をサーバ装置２０に送信する。
【００５５】
図１１は、サーバ装置２０が操作端末１０から変更ファイル取得要求を受信してから、操作端末１０が変更ファイルを表示する処理の流れを示す図である。  
サーバ装置２０は、操作端末１０から変更ファイル取得要求を受信すると、変更ファイルを操作端末１０に送信し、操作端末１０は受信した変更ファイルを表示する。  
操作端末１０は、ページＵＲＩ、指定画像ＵＲＩ、および更新画像ＵＲＩを設定した変更ファイル取得要求をサーバ装置２０に送信する（Ｓ３３１）。
【００５６】
サーバ装置２０は、変更ファイル取得要求を受信すると、受信した変更ファイル取得要求に指定されているＨＴＭＬファイルをＨＴＭＬファイル記憶部２５１からメモリ２０２に読み出す（Ｓ３３２）。サーバ装置２０は、読み出したＨＴＭＬファイルのタグを解析し、ＩＭＧタグ、ＯＢＪＥＣＴタグ、およびＥＭＢＥＤタグを抽出する（Ｓ３３３）。サーバ装置２０は、抽出したＩＭＧタグのＳＲＣ属性やＯＢＪＥＣＴタグのＤＡＴＡ属性、ＥＭＢＥＤタグのＳＲＣ属性などの属性値が、変更ファイル取得要求に設定されている指定画像ＵＲＩであるかどうかを判断する（Ｓ３３４）。属性値が指定画像ＵＲＩである場合（Ｓ３３４：ＹＥＳ）には、その属性を変更ファイル取得要求に設定されている更新画像ＵＲＩに変更する（Ｓ３３５）。
【００５７】
サーバ装置２０は、指定画像ＵＲＩを更新画像ＵＲＩに変更した変更ファイルを操作端末１０に送信し（Ｓ３３６）、操作端末１０は、サーバ装置２０から受信した変更ファイルをディスプレイなどの出力装置１０６に表示する（Ｓ３３７）。
【００５８】
図１２は、指定画像ＵＲＩを更新画像ＵＲＩに変更した変更ファイルが表示されるユーザインタフェースの一例である。同図に示すように、操作端末１０が受信した変更ファイルは、画面４３０の表示欄４３１に表示される。変更ファイルには、指定画像ＵＲＩに替えて更新画像ＵＲＩが設定されているので、更新画像ファイルが画像表示欄４３２に表示される。
【００５９】
編集者は、操作端末１０に表示される更新ファイルを画面４３０で閲覧し、指定画像ファイルに替えて、編集した更新画像ファイルをＨＴＭＬファイルに組み込んだ状態を確認する。編集者は、指定画像ファイルを更新画像ファイルに変更しても問題がないと判断した場合には、画像登録ボタン４３３を押下する。画像登録ボタン４３３が押下されると、操作端末１０は、指定画像ＵＲＩと更新画像ＵＲＩとを設定した画像更新要求をサーバ装置２０に送信する。サーバ装置２０は、画像更新要求を受信し、画像更新要求に設定されている指定画像ＵＲＩにより特定される画像ファイルを、画像更新要求に設定されている更新画像ＵＲＩにより特定される画像ファイルで上書きして、画像ファイルを更新する。
【００６０】
上記のように、操作端末１０では、サーバ装置２０から受信した変更ファイルが表示されるので、編集者は、更新画像ファイルをＨＴＭＬファイルに組み込んだ状態を確認することができる。したがって、編集者は、画像ファイルのサーバ装置２０への登録に先だって、編集した画像ファイルをレイアウトしたときの見映えを確認することが可能となる。よって、画像ファイルが編集されることによって、デザインがくずれてしまうようなことを回避することができる。よって、例えば、キャンペーンなどの短い期間のみコンテンツのデザインを変更するような場合にも、デザインの変更によるレイアウトのくずれなどが起こらないように確認しつつ、迅速にコンテンツの変更を行うことができる。また、一覧表示されたＨＴＭＬファイルのそれぞれについて、更新画像ファイルを配置した変更ファイルを閲覧することができるので、編集者は、画像ファイルの変更にともなうデザインの統一性を確認することが可能となり、更新画像ファイルが全てのＨＴＭＬファイルにおいて適切にレイアウトされているかどうかを確実に確認することができる。
【００６１】
なお、更新画像ファイルは、指定画像ファイルを上書きせず、指定画像ファイルとは違うＵＲＩとして画像ファイル記憶部２５２に登録されるようにして、元の画像を再利用することができるようにしたり、更新画像を元の画像に復元可能にしたりしてもよい。この場合、サーバ装置２０は、ＨＴＭＬファイル記憶部２５１に記憶されているＨＴＭＬファイルに含まれているタグのうち、指定画像ファイルへの参照を示す、例えば、ＩＭＧタグのＳＲＣ属性やＯＢＪＥＣＴタグのＤＡＴＡ属性などを、更新画像ＵＲＩに更新するようにする。
【００６２】
また、本実施形態では、ＨＴＭＬファイルに組み込まれるコンテンツとして、画像ファイルを想定したが、プラグインプログラムや他のＨＴＭＬファイルなど、画像以外のコンテンツを組み込むようにしてもよい。なお、画像ファイルには静止画像および動画像を含むものとする。ＨＴＭＬファイルに他のＨＴＭＬを組み込まむようにするタグには、例えば、ＦＲＡＭＥタグなどがある。この場合、サーバ装置２０は、ＦＲＡＭＥタグのＳＲＣ属性に設定されているＨＴＭＬファイルのＵＲＬを参照管理テーブル２５３に登録するようにする。また、ＳＳＩ（Server Side Include）などの技術によって、ＨＴＭＬファイルに他のＨＴＭＬファイルやプログラムの実行結果などを組み込む場合には、ＳＳＩの命令（例えば、＜！−−＃ｉｎｃｌｕｄｅ ”〜”−−＞）に指定されているＨＴＭＬファイルのＵＲＩを参照管理テーブル２５３に登録するようにする。
【００６３】
また、本実施形態では、変更ファイルを作成する際に、ＨＴＭＬファイルを構成しているタグのうち、ＩＭＧタグ、ＯＢＪＥＣＴタグ、およびＥＭＢＥＤタグの属性に設定されている画像ＵＲＩを変更するものとしたが、これに限らず、例えば、ＪａｖａＳｃｒｉｐｔによって参照される画像ファイルを確認するべく、ＨＴＭＬファイルに含まれている各タグのｏｎＭｏｕｓｅｏｖｅｒ属性などに設定されている画像ＵＲＩを変更するようにしてもよい。また、ＪａｖａＳｃｒｉｐｔのプログラムコードに記載されている画像ＵＲＩを変更するようにしてもよい。
【００６４】
また、本実施形態では、参照元取得要求に応じてサーバ装置２０から送信される一覧ファイルでは、指定画像ファイルが強調表示されたＨＴＭＬファイルの一覧が表示されるものとしたが、これに加え、指定画像ファイルを更新画像ファイルに変更した変更ファイルも併せて一覧表示するようにしてもよい。これにより、編集者はより容易に画像ファイルの更新前後のＨＴＭＬファイルを比較して、デザインを確認することができる。
【００６５】
また、本実施形態では、他のコンテンツを組み込むコンテンツがＨＴＭＬで記述されているものとしたが、これに限らず、ＸＭＬなどの他のフォーマットを採用してもよい。
【００６６】
また、本実施形態では、サーバ装置２０のメモリ２０２や記憶装置２０３にＨＴＭＬファイル記憶部２５１や画像ファイル記憶部２５２が実現されるものとしたが、サーバ装置２０とは異なる他のコンピュータにＨＴＭＬファイルや画像ファイルを管理させるようにしてもよい。この場合、例えば、コンテンツ数が多い場合や、コンテンツの容量が大きい場合などに、ハードディスクドライブなどの記憶装置に対するアクセスに起因するサーバ装置２０の処理負荷を低減し、効率的にサーバ装置２０を運用することができる。また、サーバ装置２０とは異なるコンピュータにコンテンツを管理させることにより、例えば、コンテンツのメンテナンスに係る処理がサーバ装置２０の処理負荷を高めるようなことがなくなるので、Ｗｅｂサーバとしての機能を低下させることなく、コンテンツのメンテナンスを行うことができる。つまり、コンテンツのメンテナンス性を高めることができる。
【００６７】
また、本実施形態の操作端末１０およびサーバ装置２０は、同一のコンピュータで実現するようにしてもよい。例えば、コンテンツの編集者がデザインを行うパーソナルコンピュータやワークステーションなどのコンテンツ管理装置１０Ａによって、操作端末１０およびサーバ装置２０を実現することができる。コンテンツ管理装置１０Ａには、図２に示した操作端末１０と同様のハードウェア構成とすることができる。
【００６８】
図１３は、上記コンテンツ管理装置１０Ａの機能ブロック図である。図１３に示すように、コンテンツ管理装置１０Ａは、上述した操作端末１０の指定画像ＵＲＩ入力部１１１、一覧ファイル表示部１１４、更新画像入力部１１５を備え、上述したサーバ装置２０の更新部２１１、一覧ファイル生成部２１３、参照先変更部２１７、画像更新部２２０、ＨＴＭＬファイル記憶部２５１、画像ファイル記憶部２５２、参照管理テーブル２５３、更新画像ファイル記憶部２５４を備える。なお、コンテンツ管理装置１０Ａが備える指定画像ＵＲＩ入力部１１１、一覧ファイル表示部１１４、更新画像入力部１１５、サーバ装置２０の更新部２１１、一覧ファイル生成部２１３、参照先変更部２１７、および画像更新部２２０は、コンテンツ管理装置１０ＡのＣＰＵ１０１がメモリ１０２に記憶されているプログラムを実行することにより実現される。また、コンテンツ管理装置１０Ａが備えるＨＴＭＬファイル記憶部２５１、画像ファイル記憶部２５２、参照管理テーブル２５３、および更新画像ファイル記憶部２５４は、コンテンツ管理装置１０Ａのメモリ１０２や記憶装置１０３が提供する記憶領域に実現される。
【００６９】
一覧ファイル生成部２１３は、指定画像ＵＲＩ入力部１１１に入力された指定画像ＵＲＩをキーとして、参照管理テーブル２５３からページＵＲＩを取得する。一覧ファイル表示部１１４は、一覧ファイル生成部２１３が生成した一覧ファイルを出力装置１０６に出力する。更新画像入力部１１５は、更新画像ファイルの入力を受け付けて、入力された更新画像ファイルを更新画像ファイル記憶部２５４に登録する。
【００７０】
参照先変更部２１７は、編集者などからの指示に応じて、指定されたページＵＲＩに対応するＨＴＭＬファイルをＨＴＭＬファイル記憶部２５１からメモリ１０２に読み出す。参照先変更部２１７は、メモリ１０２に読み出したＨＴＭＬファイルに含まれている指定画像ＵＲＩを、更新画像入力部１１５が更新画像ファイル記憶部２５４に登録した更新画像ファイルのＵＲＩに変更する。変更ファイル表示部１２０は、メモリ１０２に記憶されている上記のＨＴＭＬファイルを出力装置１０６に出力する。
【００７１】
上記のように、コンテンツ管理装置１０Ａは、操作端末１０およびサーバ装置２０の各機能部や記憶部を有するので、参照元取得要求の送受信や一覧ファイルの送受信などを省略することができる。したがって、より高速にコンテンツの管理を行うことができる。また、編集者は、Ｗｅｂによるコンテンツの提供を行っているサーバ装置２０とは独立したコンテンツ管理装置１０Ａを用いてコンテンツの編集を行うことができるので、編集途中のコンテンツが提供されてしまうようなことを回避することができる。また、コンテンツに対する編集のミスなどがあった場合にも本番系コンテンツに影響を与えずに済む。
【００７２】
なお、ＨＴＭＬファイル記憶部２５１や画像ファイル記憶部２５２は、コンテンツ管理装置１０Ａとは別体のコンピュータに記憶されるようにしてもよい。この場合、コンテンツ管理装置１０Ａは、ＨＴＭＬファイル記憶部２５１や画像ファイル記憶部２５２を備えるコンピュータに、データ入出力要求などのコマンドを送信することにより、ＨＴＭＬファイルや画像ファイルにアクセスするようにする。
【００７３】
以上、本実施の形態について説明したが、上記実施例は本発明の理解を容易にするためのものであり、本発明を限定して解釈するためのものではない。本発明は、その趣旨を逸脱することなく、変更、改良され得ると共に、本発明にはその等価物も含まれる。
【図面の簡単な説明】
【００７４】
【図１】本発明の一実施の形態による、コンテンツ管理システム１の全体構成を示す図である。
【図２】本発明の一実施形態による、操作端末１０の構成を示す図である。
【図３】本発明の一実施形態による、操作端末１０の機能ブロック図である。
【図４】本発明の一実施形態による、サーバ装置２０の構成を示す図である。
【図５】本発明の一実施形態による、サーバ装置２０の機能ブロック図である。
【図６】本発明の一実施形態による、ＨＴＭＬファイル記憶部２５１に記憶されるＨＴＭＬファイルの一例を示す図である。
【図７】本発明の一実施形態による、参照管理テーブル２５３の構成例を示す図である。
【図８】本発明の一実施形態による、参照管理テーブル２５３の更新処理の流れを示す図である。
【図９】本発明の一実施形態による、画像ファイルを参照しているＨＴＭＬファイルの一覧を表示する処理の流れを示す図である。
【図１０】本発明の一実施形態による、操作端末１０において、参照元の表示処理を行う際に用いられるユーザインタフェースの一例を示す図である。
【図１１】本発明の一実施形態による、サーバ装置２０が操作端末１０から変更ファイル取得要求を受信してから、操作端末１０が変更ファイルを表示する処理の流れを示す図である。
【図１２】本発明の一実施形態による、指定画像ＵＲＩを更新画像ＵＲＩに変更した変更ファイルが表示されるユーザインタフェースの一例を示す図である。
【図１３】本発明の一実施形態による、コンテンツ管理装置１０Ａの機能ブロック図である。
【符号の説明】
【００７５】
１０    操作端末                ２０    サーバ装置
３０    通信ネットワーク
１０１  ＣＰＵ                  １０２  メモリ
１０３  記憶装置                １０４  通信インタフェース
１０５  入力装置                １０６  出力装置
１１１  指定画像ＵＲＩ入力部    １１２  参照元取得要求送信部
１１３  一覧ファイル受信部      １１４  一覧ファイル表示部
１１５  更新画像入力部          １１６  更新画像送信部
１１７  更新画像ＵＲＩ受信部    １１８  変更ファイル取得要求送信部
１１９  変更ファイル受信部      １２０  変更ファイル表示部
１２１  画像更新要求送信部
２０１  ＣＰＵ                  ２０２  メモリ
２０３  記憶装置                ２０４  通信インタフェース
２１１  更新部                  ２１２  参照元取得要求受信部
２１３  一覧ファイル生成部      ２１４  一覧ファイル送信部
２１５  更新画像受信部          ２１６  変更ファイル取得要求受信部
２１７  参照先変更部            ２１８  変更ファイル送信部
２１９  画像更新要求受信部      ２２０  画像更新部
２５１  ＨＴＭＬファイル記憶部  ２５２  画像ファイル記憶部
２５３  参照管理テーブル        ２５４  更新画像ファイル記憶部
【図１】
2006059295.tif 000003
【図２】
2006059295.tif 000004
【図３】
2006059295.tif 000005
【図４】
2006059295.tif 000006
【図５】
2006059295.tif 000007
【図６】
2006059295.tif 000008
【図７】
2006059295.tif 000009
【図８】
2006059295.tif 000010
【図９】
2006059295.tif 000011
【図１０】
2006059295.tif 000012
【図１１】
2006059295.tif 000013
【図１２】
2006059295.tif 000014
【図１３】
2006059295.tif 000015